(57)【特許請求の範囲】
【請求項１】
ＡＬＣ製の既存外壁面に縦胴縁を取り付け、該縦胴縁に外壁パネルを取り付ける改修構造において、上下の各階のＡＬＣ製既存外壁面に跨がらないように各階のＡＬＣ製既存外壁面ごとに縦胴縁を取り付けたことを特徴とする既存外壁面の外壁パネルによる改修構造。
【請求項２】
ＡＬＣ製の既存外壁面に縦胴縁を取り付け、該縦胴縁に外壁パネルを取り付ける改修構造において、上下の各階のＡＬＣ製既存外壁面に跨がらないように各階のＡＬＣ製既存外壁面ごとに縦胴縁を取り付け、上下の階に跨がって配設される外壁パネルは、外壁パネルの上下端の一方又は双方がスライド自在な状態に取り付けられていることを特徴とする既存外壁面の外壁パネルによる改修構造。
【発明の詳細な説明】
【０００１】
【発明の属する技術分野】
本発明は、ＡＬＣ（軽量気泡コンクリートの一つ）製の既存外壁面の上に、縦胴縁を取り付け、この縦胴縁に外壁パネルを止め付け、新たな外壁面を構築するようにした既存外壁面の外壁パネルによる改修構造に関するものである。
【０００２】
【従来の技術】
鉄骨系の建物では、ＡＬＣ製の外壁パネルを用い、外壁パネルに取り付けられた金具を介してこれを鉄骨構造体に取り付けるようにしている。そして、既存のＡＬＣ製の外壁パネルが、汚染、変色、変形、クラック等の損傷を起こし、見栄えの悪いものとなった場合には、補修工事を行っていた。伝統的な補修工事は、ＡＬＣ製の外壁パネルの全部を新しいものと交換する手法が取られていた。ところが、この場合には、大がかりな補修工事となり、施工期間が長期化し、施工費用も増大するという欠点があった。
【０００３】
そのため、従来では、図３に示すように、鉄骨構造体１にＬ型のアングル材２等を用いてＡＬＣ製の外壁パネル３を、各階層ごとに取り付け、該ＡＬＣ製外壁パネル３の表面に、専用のビス４を介して縦胴縁５を取り付けている。そして、この縦胴縁５に新しい外壁パネル６を取り付けて既存外壁面（ＡＬＣ製外壁パネル３の壁面）を改修する手法が採用されるようになってきた。しかも、建物が複数階にわたる場合には、前記縦胴縁５は、上下の階のＡＬＣ製外壁パネル３，３間に跨がって取り付けられていた。
【０００４】
【発明が解決しようとする課題】
ところが、縦胴縁５を上下の階のＡＬＣ製の外壁パネル３，３の表面に跨がって取り付け、この縦胴縁５に外壁パネル３，３を取り付けた前記従来の改修方法では、地震等の振動があると、建物の鉄骨構造体１に取り付けられたＡＬＣ製外壁パネル３，３自体は、各階層間においてそれぞれ独自の変形をするが、前記縦胴縁５及びこれに取り付けられた外壁パネル６は建物自体の各階層間の動きとは異なる動きをしていた。そのため、外壁パネル６の上下の階層間にまたがる接合部では、上層階の外壁パネル６の下端と、下層階の外壁パネル６の上端との間で異なる動きが生じ、当該外壁パネル６どうしのの接合部が破損したり、縦胴縁を取り付けているＡＬＣ製外壁パネル３のビス４の周辺が破損したり、縦胴縁５が脱落する虞れがある等の問題があった。
【０００５】
【課題を解決するための手段】
本発明は従来の前記課題に鑑みてこれを改良除去したものであって、上下の階層間で異なる動きがあった場合でも、ＡＬＣ製外壁パネルに取り付けた縦胴縁及び外壁パネルが各階層ごとに別々の動きをすることができ、地震等があっても破損の虞れのないＡＬＣ製外壁パネルの改修構造を提供せんとするものである。
【０００６】
而して、前記課題を解決するために本発明が採用した請求項１の手段は、ＡＬＣ製の既存外壁面に縦胴縁を取り付け、該縦胴縁に外壁パネルを取り付ける改修構造において、上下の各階のＡＬＣ製既存外壁面に跨がらないように各階のＡＬＣ製既存外壁面ごとに縦胴縁を取り付けたことを特徴とする既存外壁面の外壁パネルによる改修構造である。
縦胴縁が各階のＡＬＣ製既存外壁面ごとに取り付けられているので、地震等により、上下の階層のＡＬＣ製既存外壁面が異なる動きをした場合であっても、縦胴縁はそれぞれの階層のＡＬＣ製既存外壁面ごとに取り付けられているので、上下の階層間では別個の動きをし、縦胴縁等が損傷を受けるということはない。
【０００７】
本発明が採用した請求項２の手段は、ＡＬＣ製の既存外壁面に縦胴縁を取り付け、該縦胴縁に外壁パネルを取り付ける改修構造において、上下の各階のＡＬＣ製既存外壁面に跨がらないように各階のＡＬＣ製既存外壁面ごとに縦胴縁を取り付け、上下の階に跨がって配設される外壁パネルは、外壁パネルの上下端の一方又は双方がスライド自在な状態に取り付けられていることを特徴とする既存外壁面の外壁パネルによる改修構造である。
またこの発明では、前記請求項１に加えて、上下の階層に跨がる外壁パネルにあっては、その接合部が相互にスライド自在になっているので、やはり各階層の影響を受けることがなく、その損傷等がない。
【０００８】
【発明の実施の形態】
以下に、本発明の構成を図面に示す発明の実施の形態に基づいて説明すると次の通りである。なお、従来の場合と同一符号は同一部材である。図１は、本発明の第１の実施の形態に係る外壁面の縦断面図である。同図に示す如く、この実施の形態にあっては、既存外壁面は、上下の階層の鉄骨構造体１のＬ型アングル材２にそれぞれ独立して取り付けられたＡＬＣ製の外壁パネル３，３である。この既存のＡＬＣ製外壁パネル３，３が汚れたり、その損傷がひどくなったような場合の改修工事に際し、前記ＡＬＣ製外壁パネル３，３のそれぞれに、独立して縦胴縁５，５を取り付けている。そして、この縦胴縁５，５は、改修のために新たに準備した外壁パネル（タイルパネル）６が上下の階層に跨がって取り付けられている。
【０００９】
外壁パネル６の上端面には凸条７が形成されており、下端面には前記凸条７に対応する凹条８が形成されている。外壁パネル６の上端面は、凸条７に金具９が被せられて金具９の途中をビス１０を介して縦胴縁４へ固定するようにしている。凸条７は、金具９が被せられるだけであり、自由にスライドすることが可能である。またこの上端面の凸条７に対して、上位の階層の外壁パネル６の下端面凹条８が嵌合装着されており、上下の外壁パネル６，６どうしは、凸条７と凹条８とが相互にスライド自在である。
【００１０】
このような既存外壁面の改修構造であれば、縦胴縁５，５のそれぞれが各階層の既存外壁面であるＡＬＣ製外壁パネル３，３のそれぞれに独立して個別に取り付けられているので、地震等があっても上下の階層間における縦胴縁５，５は、鉄骨構造体１及びＡＬＣ製既存外壁パネル３，３の各階ごとの動きに対応してそれぞれが独立した挙動をする。つまり、縦胴縁５，５は、各階ごとのＡＬＣ製既存外壁パネル３，３と同じ挙動をするので、縦胴縁５，５を取り付けているビス４，４のＡＬＣ製既存外壁パネル３，３の周囲が損傷したり、クラックが入る等の問題は起こらない。また新しく取り付けた改修用の外壁パネル６，６は、上下の外壁パネル６，６の上下端（継手部分）がスライド自在な嵌合関係にあるため、地震等があっても継手部分が損傷する等のことはない。
【００１１】
図２は、本発明の第２の実施の形態に係る既存外壁面の改修構造を示す縦断面図である。同図に示す如く、この実施の形態にあっては、図１に示す第１の実施の形態の場合と同様に、各階層ごとのＡＬＣ製既存外壁パネル３，３にそれぞれ独立して縦胴縁５，５を取り付け、縦胴縁５，５に金具１１を介して外壁材１２を浮かして取り付けるようにしたものである。外壁材１２は、それぞれ金具１１に対してスライド自在に取り付けられており、個々の外壁材１２は独立して動くことが可能である。また外壁材１２は、その割り付けの関係から、上下の階層に跨がることがあり、前記第１の実施の形態の外壁パネル６と同じ構造となる。
【００１２】
従って、地震等があっても上下の階層間における縦胴縁５，５は、鉄骨構造体１及びＡＬＣ製既存外壁パネル３，３の各階ごとの動きに対応してそれぞれが独立して挙動をし、縦胴縁５，５を取り付けているビス４，４のＡＬＣ製既存外壁パネル３，３の周囲が損傷したり、クラックが入る等の問題は起こらない。また新しく取り付けた改修用の外壁材１２は、上下の外壁材１２の上下端（継手部分）どうしがスライド自在な嵌合関係にあるため、地震等があっても継手部分が損傷する等のこともない。尚、この実施の形態では、金具１１を用いて外壁材１２を浮かして取り付けることにより、外壁材裏面側とＡＬＣ製既存壁面との間に空気層１３を形成することができ、空気の流れを形成することにより、結露の防止及び断熱性を向上させることが可能である。
【００１３】
ところで、本発明は上述した実施の形態に限定されるものではなく、適宜の変更が可能である。例えば、上下の外壁パネル６，６及び外壁材１２，１２の接合部は、各階層において独立した動きができるように、少なくともその一方がスライド自在となっておればよく、必ずしも両方がスライド自在となっている必要はない。
【００１４】
【発明の効果】
以上説明したように本発明にあっては、ＡＬＣ製の既存外壁面に縦胴縁を取り付け、該縦胴縁に外壁パネルを取り付ける改修構造において、上下の各階のＡＬＣ製既存外壁面に跨がらないように各階のＡＬＣ製既存外壁面ごとに縦胴縁を取り付けたから、地震等により、上下の階層のＡＬＣ製既存外壁面が異なる動きをした場合であっても、縦胴縁はそれぞれの階層のＡＬＣ製既存外壁面ごとに独立した個別の動きをし、縦胴縁等が損傷を受けるということはない。
【００１５】
また本発明にあっては、上記の縦胴縁の取り付け構造に加えて、上下の階に跨がって配設される外壁パネルは、外壁パネルの上下端の一方又は双方がスライド自在な状態に取り付けられているので、上下の階層に跨がる外壁パネルは各階層の影響を受けることがなくなり、その損傷等がない。
【図面の簡単な説明】
【図１】本発明の第１の実施の形態に係る外壁面の縦断面図である。
【図２】本発明の第２の実施の形態に係る外壁面の縦断面図である。
【図３】従来の外壁面の縦断面図である。
【符号の説明】
１…鉄骨構造体                    ２…Ｌ型アングル材
３…ＡＬＣ製既存外壁面            ４…ビス
５…縦胴縁                        ６…外壁パネル
７…凸条                          ８…凹条
１１…金具                        １２…外壁材
１３…空気層
【図１】
0003899430.tif 000002
【図２】
0003899430.tif 000003
【図３】
0003899430.tif 000004